(57)【特許請求の範囲】
【請求項１】
自動車のシートの側部近傍から展開し、前記自動車の衝突により前記シートから側方へ向かう保護対象者を受け止めるエアバッグ本体と、
前記エアバッグ本体に接続されると共に展開した前記エアバッグ本体に対して前記シートの幅方向の外側に配置され、前記シートに対して上下方向に離れた位置で固定されると共に下部から上部に向かって前記シートの幅方向の内側に傾斜するように設けられる支持部とを備え、
前記エアバッグ本体は、前記支持部に接続される張出部を有し、折り畳まれた状態で前記張出部と前記張出部以外の部分との間に前記支持部を挟むように配置され、前記張出部が前記シートに対向するように取り付けられ、
前記張出部は、前記支持部と前記シートの隙間を埋めるように展開して前記支持部を前記シートの前方に張り出すサイドエアバッグ。
【請求項２】
前記支持部は、上部と下部を捩じれの位置で前記シートに固定する請求項１に記載のサイドエアバッグ。
【請求項３】
前記支持部の上部は前記シートの上部近傍において幅方向に延びる横枠部に固定されると共に、前記支持部の下部は前記シートの側部近傍において上下方向に延びる縦枠部に固定される請求項１または２に記載のサイドエアバッグ。
【請求項４】
前記支持部は、前記シートの前方に自ら張り出すように展開する請求項１〜３のいずれか一項に記載のサイドエアバッグ。
【請求項５】
前記エアバッグ本体は、前記シートの一対の側部のうち前記自動車の側壁部から遠くに位置する内側部の近傍に取り付けられる請求項１〜４のいずれか一項に記載のサイドエアバッグ。
【発明の詳細な説明】
【技術分野】
【０００１】
この発明は、サイドエアバッグに係り、特に、自動車のシートの側部近傍に展開するサイドエアバッグに関する。
【背景技術】
【０００２】
従来から、シートの側部近傍に展開するサイドエアバッグが利用されている。このサイドエアバッグは、シートに座った保護対象者を保護するもので、例えば、自動車の側壁部に衝突体が衝突した際に衝撃によりシートから側方へ飛ばされる保護対象者を受け止めて保護することができる。
【０００３】
ここで、サイドエアバッグは、側方へ飛ばされた保護対象者からの圧力により容易に移動しないように支持することで保護対象者を確実に受け止めることが求められている。特に、シートの内側部と外側部のうち自動車の側壁部から遠くに位置する内側部に取り付けられるサイドエアバッグ、いわゆるファーサイドエアバッグは、その外側の空間が大きいため保護対象者からの圧力により容易に移動するおそれがあり、ファーサイドエアバッグを確実に支持することが求められている。
【０００４】
そこで、サイドエアバッグを支持する技術として、例えば、特許文献１には、乗員の胸部及び肩部の側方へ膨張展開するサイドエアバッグと、サイドエアバッグの展開領域のシート幅方向外側に展開する規制部材とを有する車両用乗員拘束装置が提案されている。この車両用乗員拘束装置では、乗員の肩部の位置が展開範囲内に収まるように規制部材をシート側方からみて略三角形に展開するため、乗員の肩部によりサイドエアバッグが押された場合でもサイドエアバッグの側方への移動を規制部材で規制することができる。
【先行技術文献】
【特許文献】
【０００５】
【特許文献１】特開２０１３−１２３９８９号公報
【発明の概要】
【発明が解決しようとする課題】
【０００６】
しかしながら、特許文献１の車両用乗員拘束装置は、サイドエアバッグとは別に規制部材を設ける必要があり、構成が複雑化するといった問題があった。
【０００７】
この発明は、このような従来の問題点を解消するためになされたもので、簡便な構成で保護対象者を確実に受け止めるサイドエアバッグを提供することを目的とする。
【課題を解決するための手段】
【０００８】
この発明に係るサイドエアバッグは、自動車のシートの側部近傍から展開し、自動車の衝突によりシートから側方へ向かう保護対象者を受け止めるエアバッグ本体と、エアバッグ本体に接続されると共に展開したエアバッグ本体に対してシートの幅方向の外側に配置され、シートに対して上下方向に離れた位置で固定されると共に下部から上部に向かってシートの幅方向の内側に傾斜するように設けられる支持部とを備え、エアバッグ本体は、支持部に接続される張出部を有し、折り畳まれた状態で張出部と張出部以外の部分との間に支持部を挟むように配置され、張出部がシートに対向するように取り付けられ、張出部は、支持部とシートの隙間を埋めるように展開して支持部をシートの前方に張り出すものである。
【０００９】
ここで、支持部は、上部と下部を捩じれの位置でシートに固定することが好ましい。
【００１０】
また、支持部の上部はシートの上部近傍において幅方向に延びる横枠部に固定されると共に、支持部の下部はシートの側部近傍において上下方向に延びる縦枠部に固定されることが好ましい。
【００１２】
また、支持部は、シートの前方に自ら張り出すように展開することもできる。
また、エアバッグ本体は、シートの一対の側部のうち自動車の側壁部から遠くに位置する内側部の近傍に取り付けられることが好ましい。
【発明の効果】
【００１３】
この発明によれば、展開したエアバッグ本体の外側に配置される支持部がシートに対して上下方向に離れた位置で固定されると共に下部から上部に向かってシートの幅方向の内側に傾斜するように設けられるので、簡便な構成で保護対象者を確実に受け止めるサイドエアバッグを提供することが可能となる。
【図面の簡単な説明】
【００１４】
【図１】この発明の一実施の形態に係るサイドエアバッグを備えるエアバッグ装置の構成を示す図である。
【図２】シートフレームに取り付けられた展開前のサイドエアバッグを示す図である。
【図３】折り畳む前のサイドエアバッグを示す図である。
【図４】サイドエアバッグが折り畳まれた状態を示す断面図である。
【図５】シートフレームに固定されたサイドエアバッグを示す図である。
【図６】エアバッグ装置が接続される自動車の圧力センサを示す図である。
【図７】サイドエアバッグが展開する様子を示す断面図である。
【図８】この発明の変形例に係るサイドエアバッグの構成を示す図である。
【図９】この発明の他の変形例に係るサイドエアバッグの構成を示す断面図である。
【図１０】この発明のさらに他の変形例に係るサイドエアバッグの構成を示す断面図である。
【発明を実施するための形態】
【００１５】
以下、この発明の実施の形態を添付図面に基づいて説明する。
図１に、この発明の一実施の形態に係るサイドエアバッグを備えたエアバッグ装置の構成を示す。このエアバッグ装置は、自動車のシートＳに取り付けられたサイドエアバッグ１と、サイドエアバッグ１内に展開ガスを注入してサイドエアバッグ１を展開させるインフレータ２と、インフレータ２に接続された制御部３とを有する。
ここで、シートＳは、自動車の側壁部に近い外側部Ｓ１と自動車の側壁から遠い内側部Ｓ２とを有し、その内部にはシートフレームＦが設けられている。
【００１６】
サイドエアバッグ１は、車内のシートＳに座った保護対象者Ｔを保護するもので、シートＳの内側部Ｓ２近傍に展開するエアバッグ本体４と、シートＳの幅方向Ｗにおいてエアバッグ本体４を外側から支持する支持部５とを有する。
エアバッグ本体４は、自動車の衝突によりシートＳから側方へ向かう保護対象者Ｔを受け止めるもので、インフレータ２から吐出される展開ガスにより膨出するように袋状に形成されている。エアバッグ本体４は、保護対象者Ｔの頭部から肩部の下側までを側方から覆うような大きさで形成されている。また、エアバッグ本体４の基部には、支持部５によるエアバッグ本体４の支持を補助する張出部６が配置されている。
【００１７】
張出部６は、支持部５に接続され、支持部５の裏面側、すなわち支持部５とシートフレームＦとの間に配置されており、張出部６が支持部５とシートフレームＦとの間で膨出することで、支持部５がシートフレームＦの前方に張り出される。
【００１８】
支持部５は、エアバッグ本体４をシートフレームＦに固定すると共にエアバッグ本体４を外側から支持するものである。すなわち、支持部５は、エアバッグ本体４の固定と支持を一体に行うものである。
支持部５は、シートＳの内側部Ｓ２近傍を上下方向に延びるように設けられ、上端部が上側固定部８によりシートフレームＦに固定されると共に下端部が下側固定部９によりシートフレームＦに固定されている。ここで、上側固定部８はシートＳの幅方向Ｗにおいて下側固定部９の内側に配置されており、上側固定部８がシートフレームＦの上縁部を幅方向Ｗに延びる横枠部Ｆａに固定されると共に下側固定部９がシートフレームＦの内側部Ｓ２を上下方向に延びる縦枠部Ｆｂに固定されている。これにより、支持部５は、下端部から上端部に向かってシートＳの内側に傾斜するように設けられている。なお、上側固定部８および下側固定部９は、支持部５をシートフレームＦに固定できればよく、例えばボルトなどから構成することができる。
【００１９】
インフレータ２は、制御部３からの制御信号に応じて展開ガスをサイドエアバッグ１内に吐出するもので、下側固定部９が配置された支持部５の下端部に配置されている。インフレータ２から吐出された展開ガスは、支持部５内に形成された連通路を介してエアバッグ本体４内に供給される。
制御部３は、サイドエアバッグ１の展開を制御するもので、自動車の衝突を検知した時にインフレータ２に制御信号を出力してインフレータ２から展開ガスを吐出させる。
【００２０】
図２に、エアバッグ本体４が折り畳まれた展開前のサイドエアバッグ１を示す。
サイドエアバッグ１は、エアバッグ本体４を支持部５の幅範囲に収まるように折り畳んだ状態でシートフレームＦに取り付けられている。具体的には、サイドエアバッグ１は、図３に示すように、支持部５が帯状に延びるように形成され、この支持部５の外側縁部７にエアバッグ本体４の張出部６が接続されている。このサイドエアバッグ１は、図４に示すように、支持部５の裏面側に張出部６が配置されると共に支持部５の表面側にエアバッグ本体４において張出部６以外の部分が配置されるように折り畳まれる。すなわち、支持部５の裏面側に張出部６をＵ字状に折り畳んだ後、張出部６に対してそれ以外の部分をＬ字状に折り曲げて支持部５の表面側に位置させ、表面側のエアバッグ本体４がロール状に折り畳まれる。このようにして、支持部５を挟むようにエアバッグ本体４が折り畳まれたサイドエアバッグ１は、支持部５の上端部近傍においては外側縁部７が幅方向Ｗの外側に位置すると共に支持部５の下端部近傍においては外側縁部７が後方に位置するように取り付けられる。
【００２１】
ここで、サイドエアバッグ１は、シートフレームＦの横枠部Ｆａに支持部５の上端部を上側固定部８で固定すると共に縦枠部Ｆｂに支持部５の下端部を下側固定部９で固定することにより取り付けられている。この時、上側固定部８と下側固定部９は、図５に示すように、互いに捩じれの位置、例えば水平面内にほぼ９０度捩じれた位置に配置されている。このため、支持部５の上端部と下端部も水平面内にほぼ９０度捩じれた位置で配置され、これに伴って支持部５の中間部に捩じれが生じることになる。
【００２２】
なお、エアバッグ本体４および張出部６は、支持部５の表面側と裏面側にそれぞれ折り畳むことができればよく、その折り畳み方は特に限定されるものではない。例えば、エアバッグ本体４を支持部５の表面側に蛇腹状に折り畳むこともできる。
【００２３】
このようなエアバッグ装置は、例えば図６に示すように、自動車のフロントドアＤの内部に設けられた圧力センサＰに接続することができ、この圧力センサＰで検出される圧力に応じて制御部３がサイドエアバッグ１の展開を制御する。
【００２４】
次に、この実施の形態１の動作について説明する。
まず、サイドエアバッグ１が、図２に示すように、エアバッグ本体４が折り畳まれた状態でシートＳ内のシートフレームＦに取り付けられている。ここで、自動車の側壁部、例えば自動車のフロントドアＤに衝突体が衝突すると、図６に示すように、フロントドアＤの内部に設けられた圧力センサＰにより衝突の圧力が検出される。圧力センサＰで検出された圧力は圧力センサＰから制御部３に出力され、制御部３がインフレータ２から展開ガスを吐出させる。
【００２５】
インフレータ２から吐出された展開ガスは、支持部５を介してエアバッグ本体４内に注入される。ここで、図４に示すように、張出部６は、支持部５の裏面側に折り畳まれている。このため、展開ガスが注入された張出部６は、図２に示す支持部５とシートフレームＦとの隙間Ｇを埋めるように展開する。これにより、図７に示すように、支持部５がシートフレームＦの前方に張り出され、続いて支持部５の表面側に折り畳まれたエアバッグ本体４が支持部５の内側に展開される。支持部５の内側に展開されたエアバッグ本体４は、図１に示すように、シートＳ内から外部に大きく露出し、シートＳの内側部Ｓ２近傍においてシートＳに座った保護対象者Ｔの頭部および肩部を覆うように展開する。この時、エアバッグ本体４において外部に露出する部分は、張出部６が折り畳まれた支持部５の裏面側とは反対側の表面側に折り畳まれているため、例えば張出部６と支持部５の間に挟まれるなどして展開が阻害されることがなく、エアバッグ本体４を外部にスムーズに展開させることができる。
【００２６】
このように、エアバッグ本体４が支持部５の内側に展開されることにより支持されるため、衝突体からの衝撃によりシートＳの内側部Ｓ２側へ飛ばされる保護対象者Ｔをエアバッグ本体４で受け止めることができる。
ここで、エアバッグ本体４は、下側固定部９から上側固定部８に向かってシートＳの内側に傾斜するように設けられた支持部５によりシートＳの内側に抑え込むように強力に支持されており、保護対象者Ｔからの圧力を確実に受け止めることができる。このように、支持部５がエアバッグ本体４を強力に支持するため、エアバッグ本体４と支持部５を別々に設ける必要がなく、エアバッグ本体４と支持部５を一体に形成して構成の簡便化および軽量化を図ることができる。
【００２７】
また、支持部５は張出部６によりシートフレームＦの前方に張り出されるため、支持部５がエアバッグ本体４の外側に大きく立設されると共に支持部５を全体にわたってシートフレームＦに強固に固定することができ、エアバッグ本体４をより強力に支持することができる。さらに、支持部５は、図５に示すように、中間部に捩じれが生じるように配置されており、これによりエアバッグ本体４をシートＳの内側により強力に抑え込むことができ、エアバッグ本体４を更に強力に支持することができる。
【００２８】
本実施の形態によれば、上側固定部８を下側固定部９の内側に配置することにより支持部５が下部から上部に向かってシートＳの内側に傾斜するように設けられるため、エアバッグ本体４をシートフレームＦに固定する支持部５によりエアバッグ本体４をシートＳの内側に抑え込むように強力に支持することができる。すなわち、支持部５はエアバッグ本体４を固定すると共にエアバッグ本体４を支持する機能を有するため、エアバッグ本体４と支持部５を別々に設ける必要がなく、簡便な構成で保護対象者Ｔを確実に受け止めることができる。
【００２９】
なお、上記の実施の形態において、支持部５は、エアバッグ本体４と同様に、インフレータ２から吐出される展開ガスにより膨出するように袋状に形成することもできる。ここで、支持部５は、シートフレームＦの前方に自ら張り出すように展開されることが好ましい。例えば、支持部５が張出部６と共にシートフレームＦとの間で膨出することにより、支持部５をシートフレームＦに更に強固に固定することができる。
【００３０】
また、上記の実施の形態において、エアバッグ本体４および支持部５の形状は、支持部５をシートＳの内側に傾斜するように設けることができればよく、特に限定されるものではない。
例えば、図８に示すように、エアバッグ本体４に換えてエアバッグ本体２１を配置することができる。このエアバッグ本体２１は、基部に張出部２２を有する。このエアバッグ本体２１は、支持部５に接続された一側部からその反対側に位置する他側部に向かうほど幅が大きくなるように形成されている。すなわち、張出部２２の支持部５との接続部分はエアバッグ本体２１において最も幅が小さくなるように形成される。これにより、エアバッグ本体２１を支持部５の狭い範囲に折り畳んで収容することができる。このため、例えば、保護対象者Ｔの背中が接触するシートＳの背部の外側に、エアバッグ本体２１を折り畳んだ部分を配置することができ、シートＳに座った際の違和感を低減することができる。
【００３１】
また、上記の実施の形態では、サイドエアバッグ１は、支持部５の裏面側に張出部６が配置されると共に支持部５の表面側にエアバッグ本体４において張出部６以外の部分が配置されるように折り畳まれたが、支持部５がエアバッグ本体４に対してシートＳの幅方向Ｗの外側に位置するように展開することができればよく、この折り畳み方に限られるものではない。
例えば、図９に示すように、支持部５の裏面側のみにエアバッグ本体４を蛇腹状に折り畳むことができる。また、図１０に示すように、支持部５の裏面側のみにエアバッグ本体４をロール状に折り畳むこともできる。このように折り畳むことにより、エアバッグ本体４の外側に支持部５が位置するように展開することができる。ただし、エアバッグ本体４の展開が支持部５により妨げられるおそれがあるため、サイドエアバッグ１は、支持部５の裏面側に張出部６が配置されると共に支持部５の表面側にエアバッグ本体４において張出部６以外の部分が配置されるように折り畳むことが好ましい。
【００３２】
また、上記の実施の形態では、サイドエアバッグ１は、シートＳの内側部Ｓ２近傍にエアバッグ本体が展開するように設けられたが、シートＳの外側部Ｓ１近傍にエアバッグ本体が展開するように設けることもできる。ただし、シートＳの内側部Ｓ２近傍に展開されるファーサイドエアバッグはその外側の空間が大きいため容易に外側へ倒れるおそれがあり、サイドエアバッグ１はシートＳの内側部Ｓ２近傍に設けることが好ましい。
【符号の説明】
【００３３】
１  サイドエアバッグ、２  インフレータ、３  制御部、４，２１  エアバッグ本体、５  支持部、６，２２  張出部、７  支持部の外側縁部、８  上側固定部、９下側固定部、Ｓ  シート、Ｓ１  シートの外側部、Ｓ２  シートの内側部、Ｗ  シートの幅方向、Ｆ  シートフレーム、Ｆａ  シートフレームの横枠部、Ｆｂ  シートフレームの縦枠部、Ｇ  隙間、Ｔ  保護対象者、Ｄ  フロントドア、Ｐ  圧力センサ。
【図１】
0006512693.tif 000002
【図２】
0006512693.tif 000003
【図３】
0006512693.tif 000004
【図４】
0006512693.tif 000005
【図５】
0006512693.tif 000006
【図６】
0006512693.tif 000007
【図７】
0006512693.tif 000008
【図８】
0006512693.tif 000009
【図９】
0006512693.tif 000010
【図１０】
0006512693.tif 000011